(57)【要約】【課題】燃料蒸気を吸着する吸着剤が充填された処理器本体に水などの液体が入ることを抑制できる、燃料蒸気処理器を提供する。【解決手段】チャコールキャニスタ１の大気開放管７には、キャップ８がその上方から覆い被されている。キャップ８の上壁部８１は、大気開放管７の上端と間隔を空けて対向している。キャップ８の側壁部８２は、大気開放管７の側方を取り囲んでいる。側壁部８２には、大気開放管７の上端よりも低い位置に、空気取入口８４が貫通して形成されている。大気開放管７と空気取入口８４との間には、キャップ８の上壁部８１から延びる障壁８５が形成されている。障壁８５の下端は、上下方向において、空気取入口８４よりも低い位置に位置している。側壁部８２の下端には、排水口８６が当該下端を切り欠いて形成されている。【選択図】図２
2018123830.tif 000002
【特許請求の範囲】
【請求項１】
内燃機関の燃料を貯留する燃料タンク内で発生した燃料蒸気を処理するための燃料蒸気処理器であって、
燃料蒸気を吸着する吸着剤が充填された処理器本体と、
前記処理器本体に設けられ、前記処理本体内と前記燃料タンクとを連通するためのエミッションポートと、
前記処理器本体に設けられ、前記処理器本体内から燃料をパージするためのパージポートと、
前記処理器本体から上方に延び、前記処理器本体内と連通し、上端が大気に開放された大気開放管と、
前記大気開放管に上方から覆い被さり、前記大気開放管の上端と間隔を空けて対向する上壁部および前記大気開放管の側方を取り囲む側壁部を有するキャップと
を含み、
前記キャップの前記側壁部には、前記大気開放管の上端よりも低い位置に、空気取入口が貫通して形成され、
前記キャップの前記上壁部には、前記上壁部から前記大気開放管と前記空気取入口との間に延び、下端が上下方向において前記空気取入口と同じ位置または前記空気取入口よりも低い位置に位置する障壁が形成されており、
前記キャップの側壁部の下端には、排水口が当該下端の一部を切り欠いて形成されている、燃料蒸気処理器。
【請求項２】
前記処理器本体の上面には、前記キャップの側方において、上方に突出する凸部が形成されており、
前記排水口は、前記凸部に臨む位置に形成されている、請求項１に記載の燃料蒸気処理器。
【発明の詳細な説明】
【技術分野】
【０００１】
本発明は、燃料蒸気を処理するための燃料蒸気処理器に関する。
【背景技術】
【０００２】
内燃機関を搭載した車両には、燃料タンク内で発生した燃料蒸気が大気に放出されることを抑制するために、その燃料蒸気を吸着して一時的に蓄えることが可能なチャコールキャニスタが備えられている。
【０００３】
チャコールキャニスタ内には、チャコール（活性炭）が充填されている。また、チャコールキャニスタには、燃料タンクから燃料蒸気が流入するエミッションポートと、燃料をパージするためのパージポートと、大気に開放された大気開放ポートとが設けられている。
【０００４】
内燃機関の停止時または運転中に、燃料タンク内の燃料が蒸発し、燃料タンク内の圧が一定圧以上に上昇すると、燃料蒸気がエミッションポートを介してチャコールキャニスタ内に流入する。チャコールキャニスタ内に流入した燃料蒸気中の燃料成分は、チャコールに吸着されて、チャコールに一時的に蓄えられる。これにより、燃料蒸気中から燃料成分が除去され、空気がチャコールキャニスタ内から大気開放ポートを通して大気に放出される。
【０００５】
一方、内燃機関の運転時には、パージ要求に基づき、内燃機関の吸気系に生じる負圧により、大気開放ポートから外気が取り込まれて、チャコールに蓄えられている燃料が外気とともに、パージポートを通して内燃機関に送られる。
【先行技術文献】
【特許文献】
【０００６】
【特許文献１】特開２００１−１５２９７２号公報
【発明の概要】
【発明が解決しようとする課題】
【０００７】
大気開放ポートが大気に開放されているため、たとえば、車両の冠水路走行時に、大気開放ポートから外気とともに水をチャコールキャニスタ内に吸い込むおそれがある。水がチャコールキャニスタ内に吸い込まれると、チャコールが早期に劣化し、チャコールによる燃料蒸気の吸着性が低下して、燃料蒸気が大気に放出されるおそれがある。また、チャコールキャニスタ内に吸い込まれた水がパージポートを通して内燃機関に流入すると、内燃機関の故障を招くおそれがある。
【０００８】
本発明の目的は、燃料蒸気を吸着する吸着剤が充填された処理器本体に水などの液体が入ることを抑制できる、燃料蒸気処理器を提供することである。
【課題を解決するための手段】
【０００９】
前記の目的を達成するため、本発明に係る燃料蒸気処理器は、内燃機関の燃料を貯留する燃料タンク内で発生した燃料蒸気を処理するための燃料蒸気処理器であって、燃料蒸気を吸着する吸着剤が充填された処理器本体と、処理器本体に設けられ、処理本体内と燃料タンクとを連通するためのエミッションポートと、処理器本体に設けられ、処理器本体内から燃料をパージするためのパージポートと、処理器本体から上方に延び、処理器本体内と連通し、上端が大気に開放された大気開放管と、大気開放管に上方から覆い被さり、大気開放管の上端と間隔を空けて対向する上壁部および大気開放管の側方を取り囲む側壁部を有するキャップとを含み、キャップの側壁部には、大気開放管の上端よりも低い位置に、空気取入口が貫通して形成され、キャップの上壁部には、上壁部から大気開放管と空気取入口との間に延び、下端が上下方向において空気取入口と同じ位置または空気取入口よりも低い位置に位置する障壁が形成されており、キャップの側壁部の下端には、排水口が当該下端の一部を切り欠いて形成されている。
【００１０】
この構成によれば、処理器本体内には、燃料蒸気を吸着する吸着剤が充填されている。燃料タンク内で燃料蒸気が発生し、燃料タンク内が一定圧以上に昇圧すると、燃料蒸気がエミッションポートを介して処理器本体内に流入する。処理器本体内に流入した燃料蒸気（燃料成分）は、吸着剤に吸着されて、吸着剤に一時的に蓄えられる。燃料成分が除去された空気は、処理器本体内から大気開放管を通して大気に放出される。
【００１１】
内燃機関の運転時には、制御上のパージ要求に基づき、内燃機関の吸気系に生じる負圧により、処理器本体内に大気開放管から空気（外気）が取り込まれる。このとき、吸着剤に蓄えられている燃料は、吸着剤から離脱し、外気とともに、パージポートを介して内燃機関に送られる。
【００１２】
大気開放管には、キャップがその上方から覆い被されている。キャップの上壁部は、大気開放管の上端と間隔を空けて対向している。キャップの側壁部は、大気開放管の側方を取り囲んでいる。側壁部には、大気開放管の上端よりも低い位置に、空気取入口が貫通して形成されている。大気開放管と空気取入口との間には、キャップの上壁部から延びる障壁が形成されている。障壁の下端は、上下方向において、空気取入口と同じ位置かそれよりも低い位置に位置している。
【００１３】
これにより、内燃機関の作動時に、空気取入口からキャップ内に空気を取り込むことができ、キャップ内に取り込んだ空気を大気開放管を通して処理器本体内に流入させることができる。また、大気開放管にキャップが覆い被されているので、大気開放管の上端から大気開放管内に水などの液体が入ることを抑制できる。さらに、空気取入口からキャップ内に空気とともに水などの液体が入っても、障壁により、その水などの液体が大気開放管の上端とキャップの上壁部との間に流入することを抑制できる。そのため、水などの液体が大気開放管を通して処理器本体内に入ることを抑制できる。その結果、吸着剤の劣化および内燃機関の故障を抑制することができる。
【００１４】
キャップの側方において、処理器本体の上面から上方に突出する凸部が形成されている場合、空気取入口は、凸部に臨む位置に形成されていることが好ましい。
【００１５】
空気取入口が凸部に臨む位置に形成されているので、空気取入口からキャップ内への空気の流入を阻害することなく、空気取入口からキャップ内に水などの液体が入ることを抑制できる。その結果、水などの液体が大気開放管を通して処理器本体内に入ることを一層抑制できる。
【発明の効果】
【００１６】
本発明によれば、水などの液体が大気開放管を通して処理器本体内に入ることを抑制できる。その結果、吸着剤の劣化および内燃機関の故障を抑制することができる。
【図面の簡単な説明】
【００１７】
【図１】本発明の一実施形態に係るチャコールキャニスタの平面図である。
【図２】図１に示される切断面線Ａ−Ａにおけるチャコールキャニスタの断面図である。
【発明を実施するための形態】
【００１８】
以下では、本発明の実施の形態について、添付図面を参照しつつ詳細に説明する。
【００１９】
図１は、本発明の一実施形態に係るチャコールキャニスタ１の平面図である。図２は、図１に示される切断面線Ａ−Ａにおけるチャコールキャニスタ１の断面図である。
【００２０】
チャコールキャニスタ１は、内燃機関を搭載した車両に設けられ、燃料タンク内で発生した燃料蒸気が大気に放出されることを抑制するために、その燃料蒸気を吸着して一時的に蓄えるものである。
【００２１】
チャコールキャニスタ１は、キャニスタ本体２、凸部３、エミッションポート４、パージポート５、大気開放ポート６、大気開放管７およびキャップ８を備えている。
【００２２】
キャニスタ本体２は、中空の略直方体形状に形成されている。キャニスタ本体２内には、燃料蒸気を吸着する吸着剤としてのチャコール（活性炭）９が充填されている。
【００２３】
凸部３は、キャニスタ本体２と一体に形成されている。凸部３は、キャニスタ本体２の上面において、その上面の長手方向の一方側に片寄った位置に設けられ、キャニスタ本体２の上面から上方に突出する円柱状の外形を有している。
【００２４】
エミッションポート４は、凸部３と一体に形成されている。エミッションポート４は、凸部３の上面の中央を貫通して、凸部３の内外に延びる管状をなしている。エミッションポート４における凸部３の外部に突出した外側部分は、途中部で屈曲し、キャニスタ本体２の上面と平行をなして延びている。この外側部分には、燃料タンク内と連通するエミッション管（図示せず）の一端部が外嵌される。エミッションポート４における凸部３内に収容される部分は、キャニスタ本体２に向けて直線状に延びている。エミッションポート４内は、キャニスタ本体２内と連通している。
【００２５】
パージポート５は、凸部３の側方において、上下方向に延び、途中部で屈曲し、キャニスタ本体２の上面と平行をなして延びる管状に形成されている。パージポート５の先端部には、内燃機関の吸気系と連通するパージ管（図示せず）の一端部が外嵌される。パージポート５内は、キャニスタ本体２内と連通している。
【００２６】
大気開放ポート６は、キャニスタ本体２と一体に形成されている。大気開放ポート６は、凸部３の側方において、上下方向に延びる管状に形成されている。大気開放ポート６内は、キャニスタ本体２内と連通している。
【００２７】
大気開放管７は、その下端部が大気開放ポート６に外嵌されて、大気開放ポート６の上方に延びている。大気開放管７の上端７１は、上方に向けて開放されている。
【００２８】
キャップ８は、大気開放管７に上方から覆い被さっている。キャップ８は、凸部３と干渉しない形状をなし、大気開放管７の上端７１と間隔を空けて対向する上壁部８１と、上壁部８１から垂下し、大気開放管７の側方を取り囲む筒状の側壁部８２とを一体的に備えている。
【００２９】
側壁部８２の凸部３側に配置される凸部側部分８３は、凸部３の外側面と間隔を空けて対向している。凸部側部分８３には、大気開放管７の上端７１よりも低い位置に、空気取入口８４が貫通して形成されている。また、凸部側部分８３の下端とキャニスタ本体２の上面との間には、排水口８６が形成されている。
【００３０】
そして、上壁部８１の下面には、大気開放管７と凸部側部分８３との間に、板状の障壁８５が上壁部８１と一体に形成されている。障壁８５は、上壁部８１の下面から下方に延び、その下端が上下方向において空気取入口８４よりも低い位置に位置している。
【００３１】
以上の構成によれば、燃料タンク内で燃料蒸気が発生し、燃料タンク内が昇圧すると、燃料蒸気がエミッションポート４を介してキャニスタ本体２内に流入する。キャニスタ本体２内に流入した燃料蒸気（燃料成分）は、チャコール９に吸着されて、チャコール９に一時的に蓄えられる。燃料成分が除去された空気は、キャニスタ本体２内から大気開放ポート６および大気開放管７を通して大気に放出される。
【００３２】
内燃機関の運転時には、制御上のパージ要求に基づき、内燃機関の吸気系に生じる負圧により、キャニスタ本体２内に大気開放管７から空気（外気）が取り込まれる。このとき、チャコール９に蓄えられている燃料は、チャコール９から離脱し、外気とともに、パージポート５を介して内燃機関に送られる。
【００３３】
大気開放管７には、キャップ８がその上方から覆い被されている。キャップ８の上壁部８１は、大気開放管７の上端と間隔を空けて対向している。キャップ８の側壁部８２は、大気開放管７の側方を取り囲んでいる。側壁部８２には、大気開放管７の上端よりも低い位置に、空気取入口８４が貫通形成されている。大気開放管７と空気取入口８４との間には、キャップ８の上壁部８１から延びる障壁８５が形成されている。障壁８５の下端は、上下方向において、空気取入口８４の下端縁よりも低い位置に位置している。
【００３４】
これにより、内燃機関の作動時に、空気取入口８４からキャップ８内に空気を取り込むことができ、キャップ８内に取り込んだ空気を大気開放管７を通してキャニスタ本体２内に流入させることができる。また、大気開放管７にキャップ８が覆い被されているので、大気開放管７の上端から大気開放管７内に水などの液体が入ることを抑制できる。さらに、空気取入口８４からキャップ８内に空気とともに水などの液体が入っても、障壁８５により、その水などの液体が大気開放管７の上端とキャップ８の上壁部８１との間に流入することを抑制できる。そして、側壁部８２と障壁８５との間を落ちる水などの液体は、凸部３側に開口した排水口８６を通して排水される。そのため、水などの液体が大気開放管７を通してキャニスタ本体２内に入ることを抑制できる。その結果、チャコール９の劣化および内燃機関の故障を抑制することができる。
【００３５】
また、キャップ８の側方には、キャニスタ本体２の上面から突出する凸部３が形成され、空気取入口８４は、凸部３に臨む位置に形成されている。
【００３６】
空気取入口８４が凸部３に臨む位置に形成されているので、空気取入口８４からキャップ８内への空気の流入を阻害することなく、空気取入口８４からキャップ８内に水などの液体が入ることを抑制できる。その結果、水などの液体が大気開放管７を通してキャニスタ本体２内に入ることを一層抑制できる。
【００３７】
以上、本発明の一実施形態について説明したが、本発明は、他の形態で実施することもできる。
【００３８】
たとえば、障壁８５の下端は、上下方向において、空気取入口８４の下端縁よりも低い位置に位置しているとしたが、障壁８５は、その下端が空気取入口８４の下端縁と上下方向において同じ位置に位置するように形成されていてもよい。障壁８５の下端が空気取入口８４の下端縁よりも低い位置に位置していると、キャップ８の下側からキャップ８内に水などの液体が入り込んだときに、障壁８５と大気開放管７との間に水が入りやすく、それらの間に水などの液体が入ると、その水が大気とともに大気開放管７に吸い込まれるおそれがある。これに対し、障壁８５の下端が空気取入口８４の下端縁と上下方向において同じ位置に位置する構成では、空気取入口８４からキャップ８内に入った水などの液体が大気開放管７に入ることを抑制できながら、キャップ８の下側からキャップ８内への水などの液体の進入に対し、障壁８５の下端までの距離を稼ぐことができ、かつ、空気取入口８４からその液体を排水することができる。そのため、大気開放管７に水などの液体が入ることを効果的に防ぐことができる。
【００３９】
その他、前述の構成には、特許請求の範囲に記載された事項の範囲で種々の設計変更を施すことが可能である。
【符号の説明】
【００４０】
１    チャコールキャニスタ（燃料蒸気処理器）
２    キャニスタ本体（処理器本体）
３    凸部
４    エミッションポート
５    パージポート
７    大気開放管
８    キャップ
９    チャコール（吸着剤）
７１  上端（大気開放管の上端）
８１  上壁部
８２  側壁部
８４  空気取入口
８５  障壁
【図１】
2018123830.tif 000003
【図２】
2018123830.tif 000004